(57)【要約】      （修正有）【課題】アクチュエータキャップの内側からアクチュエータキャップをアクチュエータベースに締め付けることができ、アクチュエータの外側に工具固定箇所や孔を設ける必要がないアクチュエータ締付用冶具及びアクチュエータキャップをアクチュエータベースに締め付ける方法を提供する。【解決手段】冶具１は、係合部２及びヘッド部３を有する本体部４を備え、前記係合部は、前記アクチュエータキャップに設けられた孔に挿入可能な径を備え、かつ、前記アクチュエータキャップ内に設けられた被係合部に係合可能である。【選択図】図１
2018128108.tif 000002
【特許請求の範囲】
【請求項１】
アクチュエータキャップをアクチュエータベースに締め付ける又は緩めるための冶具であって、該冶具は、
係合部及びヘッド部を有する本体部を備え、
前記係合部は、前記アクチュエータキャップに設けられた孔に挿入可能な径を備え、かつ、
前記アクチュエータキャップ内に設けられた被係合部に係合可能であることを特徴とする、冶具。
【請求項２】
前記係合部は棒状であることを特徴とする、請求項１に記載の冶具。
【請求項３】
前記係合部は、前記本体部に回動可能に支持されていることを特徴とする、請求項１又は２に記載の冶具。
【請求項４】
前記係合部は、前記本体部に重心をずらして支持されていることを特徴とする、請求項３に記載の冶具。
【請求項５】
前記本体部に対して着脱可能なキャップ部がさらに設けられていることを特徴とする、請求項１乃至４のいずれか１項に記載の冶具。
【請求項６】
アクチュエータキャップをアクチュエータベースに締め付ける方法であって、該方法は、
ａ．前記アクチュエータキャップに設けられた孔に冶具を挿入する工程と、
ｂ．前記冶具に設けられた係合部を前記アクチュエータキャップ内に設けられた被係合部に係合する工程と、
ｃ．前記冶具に設けられたヘッド部を締め付け、前記アクチュエータキャップを前記アクチュエータベースに締め付ける工程と、
ｄ．前記アクチュエータキャップに設けられた前記孔から前記冶具を取り外す工程と
を含むことを特徴とする、方法。
【請求項７】
前記アクチュエータキャップをアクチュエータベースに仮締めする工程をさらに含むことを特徴とする、請求項６に記載の方法。
【請求項８】
前記工程ｂ．は、前記アクチュエータを傾けることにより、前記係合部を前記アクチュエータキャップ内に設けられた被係合部に係合させる工程であることを特徴とする、請求項６に記載の方法。
【請求項９】
アクチュエータのアクチュエータキャップに設けられた孔に請求項１乃至５に記載の冶具を挿入し、前記アクチュエータキャップと前記冶具とを係合した状態で、前記冶具を締め付けることによって、前記アクチュエータキャップがアクチュエータベースに固定されることを特徴とする、アクチュエータ。
【発明の詳細な説明】
【技術分野】
【０００１】
本発明はアクチュエータ締付用冶具及びアクチュエータの締付方法に係り、より詳しくは、アクチュエータキャップの内側からアクチュエータキャップをアクチュエータベースに締め付けることができ、アクチュエータの外側に工具固定箇所や孔を設ける必要がないアクチュエータ締付用冶具及びアクチュエータキャップをアクチュエータベースに締め付ける方法に関する。
【背景技術】
【０００２】
アクチュエータはバルブの流体通路を開閉するための部材であり、ステム、ばね、ピストン等を内蔵したアクチュエータキャップ、アクチュエータベース、及び弁体等を含む（例えば、特許文献１参照）。
アクチュエータの構造や形状は、アクチュエータを取り付けるバルブの仕様に応じて適宜変更される。
【０００３】
従来から、アクチュエータキャップをアクチュエータベースにねじ込むことでアクチュエータを形成するバルブが知られている。このようなアクチュエータの締め付けは、アクチュエータの外側からスパナ等の工具を用いて締め付けることにより行われている。
【０００４】
しかしながら、叙上のアクチュエータ締付方法ではアクチュエータの外側に工具用の固定箇所を設ける必要があり、アクチュエータが大型化してしまい、小型のアクチュエータや所望の形状のアクチュエータを製造できないという問題があった。
【０００５】
一方、その他のアクチュエータの締付方法として、アクチュエータの外側に孔を設け、この孔に工具を引っ掛け、アクチュエータを締め付けるという方法も従来から用いられている。
この締付方法では、アクチュエータの外側にスパナ等の工具の固定箇所を設ける必要がなく、アクチュエータの大型化を防止することができる。
しかしながら、この締付方法では、アクチュエータの外側に孔を設ける必要がある。この孔が貫通孔の場合には、孔を介してアクチュエータ内部に菌等が侵入し、繁殖する虞があり、また、貫通していない孔の場合でもバルブ外観を洗浄する際、洗浄水やその他汚れ等が孔に溜まり菌等が繁殖する虞がある。そのため、この締付方法は、菌等が繁殖しないクリーンな環境が求められる飲食品・化学品・医薬品用等のサニタリー用バルブのアクチュエータには用いることができないという問題があった。
【先行技術文献】
【特許文献】
【０００６】
【特許文献１】特開２０１３−１１３４１８号公報
【発明の概要】
【発明が解決しようとする課題】
【０００７】
本発明は、上記したような従来技術の問題点を解決すべくなされたものであって、アクチュエータを内側から締め付けることができ、アクチュエータ外側の工具用の固定箇所や孔が不要であるため、高圧バルブ用のアクチュエータ等で用いることができるのは勿論のこと、菌等がアクチュエータ内部で繁殖する虞の少ない、飲食品・化学品・医薬品用等のサニタリーバルブ用のアクチュエータにも用いることができるアクチュエータ締付用冶具及びアクチュエータの締付方法を提供することを目的とするものである。
【課題を解決するための手段】
【０００８】
請求項１に係る発明は、アクチュエータキャップをアクチュエータベースに締め付ける又は緩めるための冶具であって、該冶具は、
係合部及びヘッド部を有する本体部を備え、
前記係合部は、前記アクチュエータキャップに設けられた孔に挿入可能な径を備え、かつ、
前記アクチュエータキャップ内に設けられた被係合部に係合可能であることを特徴とする、冶具に関する。
【０００９】
請求項２に係る発明は、前記係合部は棒状であることを特徴とする、請求項１に記載の冶具に関する。
【００１０】
請求項３に係る発明は、前記係合部は、前記本体部に回動可能に支持されていることを特徴とする、請求項１又は２に記載の冶具に関する。
【００１１】
請求項４に係る発明は、前記係合部は、前記本体部に重心をずらして支持されていることを特徴とする、請求項３に記載の冶具に関する。
【００１２】
請求項５に係る発明は、前記本体部に対して着脱可能なキャップ部がさらに設けられていることを特徴とする、請求項１乃至４のいずれか１項に記載の冶具に関する。
【００１３】
請求項６に係る発明は、アクチュエータキャップをアクチュエータベースに締め付ける方法であって、該方法は、
ａ．前記アクチュエータキャップに設けられた孔に冶具を挿入する工程と、
ｂ．前記冶具に設けられた係合部を前記アクチュエータキャップ内に設けられた被係合部に係合する工程と、
ｃ．前記冶具に設けられたヘッド部を締め付け、前記アクチュエータキャップを前記アクチュエータベースに締め付ける工程と、
ｄ．前記アクチュエータキャップに設けられた前記孔から前記冶具を取り外す工程と
を含むことを特徴とする、方法に関する。
【００１４】
請求項７に係る発明は、前記アクチュエータキャップを前記アクチュエータベースに仮締めする工程をさらに含むことを特徴とする、請求項６に記載の方法に関する。
【００１５】
請求項８に係る発明は、前記工程ｂ．は、前記アクチュエータを傾けることにより、前記係合部を前記アクチュエータキャップ内に設けられた被係合部に係合させる工程であることを特徴とする、請求項６に記載の方法に関する。
【００１６】
請求項９に係る発明は、アクチュエータのアクチュエータキャップに設けられた孔に請求項１乃至５に記載の冶具を挿入し、前記アクチュエータキャップと前記冶具とを係合した状態で、前記冶具を締め付けることによって、前記アクチュエータキャップがアクチュエータベースに固定されることを特徴とする、アクチュエータに関する。
【発明の効果】
【００１７】
請求項１に係る冶具によれば、該冶具は、係合部及びヘッド部を有する本体部を備え、前記係合部は、前記アクチュエータキャップに設けられた孔に挿入可能な径を備え、かつ、前記アクチュエータキャップ内に設けられた被係合部に係合可能であるため、アクチュエータキャップのアクチュエータベースへの締め付けをアクチュエータキャップに設けられた孔を介してアクチュエータの内側で実施でき、アクチュエータキャップをアクチュエータベースに締め付ける又は緩めるためにアクチュエータの外側にスパナ等の工具の固定箇所や孔を設ける必要がない。
さらに、アクチュエータの外側にスパナ等の工具の固定箇所や孔を設けずにアクチュエータキャップをアクチュエータベースに締め付ける又は緩めることができるため、菌等がアクチュエータ内部で繁殖する虞が少なく、飲食品・化学品・医薬品用等のサニタリーバルブ用のアクチュエータにも使用できる。
このように、請求項１に係る冶具を用いることでアクチュエータの小型化が可能になり、従来のアクチュエータの締付方法のために提供できなかった小型のアクチュエータや所望の形状のアクチュエータを製造することができる。
【００１８】
請求項２に係る冶具によれば、前記係合部は棒状であるため、係合部をより容易にアクチュエータキャップの被係合部に係合することができる。
【００１９】
請求項３に係る冶具によれば、前記係合部は、前記本体部に回動可能に支持されているため、係合部を所望の位置に位置付けることができ、より容易に係合部をアクチュエータキャップの被係合部に係合することができる。
【００２０】
請求項４に係る冶具によれば、前記係合部は、前記本体部に重心をずらして支持されているため、冶具の傾きに関わらず、常に係合部を同じ向きに位置付けることができ、係合部をより容易にアクチュエータキャップの被係合部に係合することができる。
【００２１】
請求項５に係る冶具によれば、前記本体部に着脱可能なキャップ部がさらに設けられているため、アクチュエータキャップをアクチュエータベースに締め付ける又は緩める際に、冶具の係合部とアクチュエータキャップを固定でき、より容易にアクチュエータキャップをアクチュエータベースに締め付ける又は緩めることができる。
【００２２】
請求項６に係るアクチュエータキャップをアクチュエータベースに締め付ける方法によれば、該方法は、ａ．前記アクチュエータキャップに設けられた孔に冶具を挿入する工程と、ｂ．前記冶具に設けられた係合部を前記アクチュエータキャップ内に設けられた被係合部に係合する工程と、ｃ．前記冶具に設けられたヘッド部を締め付け、前記アクチュエータキャップを前記アクチュエータベースに締め付ける工程と、ｄ．前記アクチュエータキャップに設けられた前記孔から前記冶具を取り外す工程とを含むため、アクチュエータキャップのアクチュエータベースへの締め付けをアクチュエータキャップに設けられた孔を介してアクチュエータの内側で実施でき、アクチュエータキャップをアクチュエータベースに締め付ける又は緩めるためにアクチュエータの外側にスパナ等の工具の固定箇所や孔を設ける必要がない。
さらに、アクチュエータの外側にスパナ等の工具の固定箇所や孔を設けずにアクチュエータキャップをアクチュエータベースに締め付ける又は緩めることができるため、菌等がバルブアクチュエータ内部で繁殖する虞が少なく、飲食品・化学品・医薬品用等のサニタリーバルブ用のアクチュエータにも使用できる。
このように、請求項６に係る方法を用いることでアクチュエータの小型化が可能になり、従来のアクチュエータの締付方法のために提供できなかった小型のアクチュエータや所望の形状のアクチュエータを製造することができる。
【００２３】
請求項７に係る方法によれば、前記アクチュエータキャップを前記アクチュエータベースに仮締めする工程をさらに含むため、より容易にアクチュエータキャップをアクチュエータベースに締め付けることができる。
【００２４】
請求項８に係る方法によれば、前記工程ｂ．は、前記アクチュエータを傾けることにより、前記係合部を前記アクチュエータキャップ内に設けられた被係合部に係合させる工程であるため、より容易にアクチュエータキャップをアクチュエータベースに締め付けることができる。
【００２５】
請求項９に係るアクチュエータによれば、アクチュエータのアクチュエータキャップに設けられた孔に請求項１乃至５に記載の冶具を挿入し、前記アクチュエータキャップと前記冶具とを係合した状態で、前記冶具を締め付けることによって、前記アクチュエータキャップがアクチュエータベースに固定されるため、アクチュエータキャップのアクチュエータベースへの締め付けをアクチュエータキャップに設けられた孔を介してアクチュエータの内側で実施でき、アクチュエータキャップをアクチュエータベースに締め付ける又は緩めるためにアクチュエータの外側にスパナ等の工具の固定箇所や孔を設ける必要がない。
さらに、アクチュエータの外側にスパナ等の工具の固定箇所や孔を設けずにアクチュエータキャップをアクチュエータベースに締め付ける又は緩めることができるため、菌等がバルブアクチュエータ内部で繁殖する虞が少なく、飲食品・化学品・医薬品用等のサニタリーバルブ用のアクチュエータにも使用できる。
このように、請求項９に係るアクチュエータは、外側にスパナ等の工具の固定箇所や孔を設ける必要がないため、小型化が可能であり、且つ所望の形状とすることができる。
【図面の簡単な説明】
【００２６】
【図１】本発明の第一実施形態に係る冶具を示す図であって、（ａ）は冶具を縦（鉛直）方向に向けた状態を示す側面図、（ｂ）は冶具を横（水平）方向に向けた状態を示す側面図、（ｃ）は冶具を縦（鉛直）方向に向けた状態を示す正面図である。
【図２Ａ】本発明の第一実施形態に係る冶具を用いたアクチュエータキャップをアクチュエータベースに締め付ける方法を示す図である。
【図２Ｂ】本発明の第一実施形態に係る冶具を用いたアクチュエータキャップをアクチュエータベースに締め付ける方法を示す図である。
【図２Ｃ】本発明の第一実施形態に係る冶具を用いたアクチュエータキャップをアクチュエータベースに締め付ける方法を示す図である。
【図２Ｄ】本発明の第一実施形態に係る冶具を用いたアクチュエータキャップをアクチュエータベースに締め付ける方法を示す図である。
【図２Ｅ】本発明の第一実施形態に係る冶具を用いたアクチュエータキャップをアクチュエータベースに締め付ける方法を示す図である。
【図２Ｆ】本発明の第一実施形態に係る冶具を用いたアクチュエータキャップをアクチュエータベースに締め付ける方法を示す図である。
【図２Ｇ】本発明の第一実施形態に係る冶具を用いたアクチュエータキャップをアクチュエータベースに締め付ける方法を示す図である。
【図３】本発明の第一実施形態に係る冶具がアクチュエータのアクチュエータキャップに設けられた被係合部に係合する様子を示す図であって、（ａ）は図２ＢのＡ１−Ａ１線に沿った断面説明図、（ｂ）は図２ＤのＡ２−Ａ２線に沿った断面説明図である。
【図４】本発明の第二実施形態に係る冶具を縦（鉛直）方向に向けた状態を示す側面図である。
【図５】本発明の第二実施形態に係る冶具がアクチュエータのアクチュエータキャップに設けられた被係合部に係合する様子を示す図であって、（ａ）はアクチュエータキャップの被係合部の図２ＢのＡ１−Ａ１線と同じ位置の線に沿った断面説明図、（ｂ）は被係合部に冶具の係合部が係合した状態を示す、図２ＢのＡ１−Ａ１線と同じ位置の線に沿った断面説明図である。
【図６】本発明の第三実施形態に係る冶具を縦（鉛直）方向に向けた状態を示す正面図である。
【図７】本発明の第三実施形態に係る冶具がアクチュエータのアクチュエータキャップに設けられた被係合部に係合する様子を示す図であって、（ａ）はアクチュエータキャップの被係合部の図２ＢのＡ１−Ａ１線と同じ位置の線に沿った断面説明図、（ｂ）は被係合部に冶具の係合部が係合した状態を示す、図２ＢのＡ１−Ａ１線と同じ位置の線に沿った断面説明図である。
【発明を実施するための形態】
【００２７】
［第一実施形態］
以下、本発明に係るアクチュエータキャップをアクチュエータベースに締め付ける又は緩めるための冶具の好適な実施形態について、図面を参照しながら説明する。
図１は、本発明の第一実施形態に係る冶具を示す図であって、（ａ）は冶具を縦（鉛直）方向に向けた状態を示す側面図、（ｂ）は冶具を横（水平）方向に向けた状態を示す側面図、（ｃ）は冶具を縦（鉛直）方向に向けた状態を示す正面図である。図２Ａ〜図２Ｇは、本発明の第一実施形態に係る冶具を用いたアクチュエータキャップをアクチュエータベースに締め付ける方法を示す図である。図３は、本発明の第一実施形態に係る冶具がアクチュエータのアクチュエータキャップに設けられた被係合部に係合する様子を示す図であって、（ａ）は図２ＢのＡ１−Ａ１線に沿った断面説明図、（ｂ）は図２ＤのＡ２−Ａ２線に沿った断面説明図である。
【００２８】
尚、本明細書において、「係合」とは、係合部と被係合部が接触、嵌合、咬合等、様々な状態で係りあうことをいう。また、係合部と被係合部が係りあうことにより、一体となって動作することができ、本冶具を用いてアクチュエータキャップをアクチュエータベースに締め付けることが出来る。
【００２９】
図１〜３を参照して本発明の第一実施形態に係る冶具について説明する。
図１に示すように、冶具（１）は、係合部（２）と、ヘッド部（３）と、本体部（４）とを備えている。
尚、本発明に係る冶具（１）は、アクチュエータキャップ（６）をアクチュエータベース（７）にねじ込むことで形成されるアクチュエータ（５）に用いることができる。
【００３０】
係合部（２）は、本体部（４）に一体的に又は別体として設けられており、アクチュエータ（５）のアクチュエータキャップ（６）に設けられた孔（８）に挿入可能な径を備えている。また、係合部（２）は、連結軸（２ｘ）を介して本体部（４）の一端部（４ａ）に一体的に又は別体として設けられていても良い（図１の（ｃ）参照）。
尚、図１の（ｃ）等において、係合部（２）は本体部（４）の一端部（４ａ）から鉛直方向に突出して設けられているが、これに限定されず、被係合部（９）に係合することができる形状であれば、突出していなくとも良い。
また、係合部（２）は、例えば金属等、係合部（２）を被係合部（９）に係合した状態で、冶具（１）のヘッド部（３）を工具（１１）により締め付けた際に破損しない強度を有する素材であることが望ましい。
【００３１】
係合部（２）は、アクチュエータ（５）内部でアクチュエータキャップ（６）内に設けられた被係合部（９）に係脱自在に係合できる。これにより、アクチュエータ（５）の外側から、アクチュエータキャップ（６）に設けられた孔（８）に挿入することで、冶具（１）の係合部（２）を被係合部（９）に係合することができる。係合部（２）を被係合部（９）に係合した状態で、冶具（１）のヘッド部（３）を工具（１１）により締め付けることで、アクチュエータキャップ（６）の内側からアクチュエータキャップ（６）をアクチュエータベース（７）に締め付けることができる。
【００３２】
係合部（２）は、図２Ａ〜図２Ｇに示すように、アクチュエータ（５）が縦方向である時には同方向に向き、アクチュエータ（５）が横方向である時には直交方向に向くことが望ましい。これにより、図３に示すように、アクチュエータ（５）が縦方向である時には、係合部（２）は被係合部（９）に係合せず（図３の（ａ）参照）、アクチュエータ（５）が横方向である時には、係合部（２）は被係合部（９）に係合する（図３の（ｂ）参照）。
尚、係合部（２）は、アクチュエータ（５）が縦方向である時には直交方向に向き、アクチュエータ（５）が横方向である時には同方向に向くようにしてもよい。
【００３３】
係合部（２）は、棒状であることが望ましい。係合部（２）が棒状であることにより、より容易に係合部（２）を被係合部（９）に係合することができる。
尚、係合部（２）の形状は、アクチュエータ（５）内部でアクチュエータキャップ（６）の内面に設けられた被係合部（９）に係脱自在に係合できる形状であれば、いかなる形状であっても良い。
【００３４】
係合部（２）は、本体部（４）に回動可能に支持されていることが望ましい。より具体的には、係合部（２）は、本体部（４）の一端部（４ａ）に連結軸（２ｘ）を介して回動可能に支持されている。これにより、係合部（２）をより容易に被係合部（９）に係合することができる。
【００３５】
係合部（２）は、本体部（４）に重心をずらして支持されていることが望ましい。これにより、係合部（２）は、冶具（１）の傾きに関わらず、常に同じ方向を向くようになる。そのため、冶具（１）をアクチュエータ（５）に挿入した後、アクチュエータ（５）を傾けることで、係合部（２）の向きを変えずに、被係合部（９）の向きのみを変えることができる（図２Ｃ〜図２Ｄ参照）。
この重心のずれは、冶具（１）の傾きに関わらず、係合部（２）が常に同じ方向を向くようになっていればよく、重心のずれの程度等は特に限定されない。
また、係合部（２）の重心のずれは、本体部（４）に支持される位置を変える、あるいは係合部（２）の一端部を他端部よりも重くして係合部（２）自身の重心をずらす等、重心をずらすことができる方法であれば、いかなる方法で生じさせても良い。
【００３６】
叙上の通り、係合部（２）は、アクチュエータ（５）内部でアクチュエータキャップ（６）の内面に設けられた被係合部（９）に係脱自在に係合できるものであればいかなるものであっても良い。
例えば、磁性材料を用いて係合部（２）を形成し、アクチュエータ（５）の外側あるいは内側から磁石を用いて係合部（２）を動かし、被係合部（９）に係合することにより、本発明の効果を奏することができる。
例えば、アクチュエータ（５）の外側あるいは内側から紐等の牽引手段を用いて係合部（２）を動かし、被係合部（９）に係合することにより、本発明の効果を奏することもできる。
【００３７】
ヘッド部（３）は、本体部（４）に設けられている。
ヘッド部（３）は、冶具（１）と共にアクチュエータベース（７）にアクチュエータキャップ（６）を締め付けるために、後述する工具（１１）により締め付けられる。
ヘッド部（３）は、工具（１１）により、締め付けることができるものであれば、いかなる形状であってもよい。
尚、ヘッド部（３）は、本体部（４）に一体的に設けられていてもよく、別体として設けられ、ヘッド部（３）が本体部（４）に圧入されているものであっても良い。
【００３８】
本体部（４）は、係合部（２）及びヘッド部（３）を有しており、アクチュエータ（５）のアクチュエータキャップ（６）に設けられた孔（８）に挿入可能な径を備えている。本体部（４）の径は、孔（８）に挿入可能な径であれば良く、寸法等は特に限定されない。
本体部（４）は、後述するキャップ部（１０）をより容易に取り付けるために、少なくともその一部をボルト状としても良い。
【００３９】
本体部（４）には、係合部（２）をアクチュエータキャップ（６）に固定するためのキャップ部（１０）がさらに設けられていることが望ましい。これにより、係合部（２）を所望の位置で固定することができ、より容易に係合部（２）を被係合部（９）に係合することができる。
本体部（４）にキャップ部（１０）をより容易に取り付けるために、キャップ部（１０）の少なくとも一部をナット状としても良い。
キャップ部（１０）は、係合部（２）を固定することができるものであれば、いかなる形状であってもよく、例えば、円筒状等であり得る。
【００４０】
本体部（４）の一端部（４ａ）は、正面視略コ字状を呈しており、連結軸（２ｘ）を介して係合部（２）と連結されている（図１の（ｃ）参照）。
本体部（４）の一端部（４ａ）の形状は係合部（２）を、連結軸（２ｘ）を介して連結することができる形状であればよく、例えば正面視略Ｕ字状等、いかなる形状であっても良い。
【００４１】
アクチュエータキャップ（６）に設けられる被係合部（９）の形状は、図３に示すように、アクチュエータキャップ（６）内（アクチュエータベース（７）側）に設けられた矩形状の切り欠き部を有する形状であることが望ましいが、これに限定されず、例えば、切り欠き部の形状は正方形状や、円状、十字形状等、係合部（２）を係合することができる形状であれば、いかなる形状であっても良い。
尚、被係合部（９）は矩形状の切り欠き部だけでなく、孔（８）に沿って形成された矩形状の溝を備えていても良い。
尚、本明細書において、アクチュエータキャップ（６）内とは、アクチュエータキャップ（６）のアクチュエータ（５）の内側に位置する面や、孔（８）の内壁等、アクチュエータキャップ（６）をアクチュエータベース（７）に締め付けた際に、アクチュエータ（５）の外側に露出していないアクチュエータキャップ（６）の部分を指す。
【００４２】
以下、本発明の第一実施形態に係る冶具（１）を用いたアクチュエータキャップ（６）をアクチュエータベース（７）に締め付ける方法の一例を示す。尚、以下に示す締付方法は一例であって、これに限定されない。
尚、本発明に係る冶具（１）は、アクチュエータキャップ（６）をアクチュエータベース（７）にねじ込むことで形成されるアクチュエータ（５）であれば、いかなるアクチュエータにも用いることができる。
また、バルブ（１２）は、本発明に係る冶具（１）あるいは締付方法を用いて形成されるアクチュエータを取り付けることができるバルブであればいかなるものでもよい。
【００４３】
図２Ａ〜図２Ｇは本発明に係る冶具（１）を用いたアクチュエータキャップ（６）をアクチュエータベース（７）に締め付ける方法を示す図である。
まず、アクチュエータキャップ（６）をアクチュエータベース（７）に仮締めする。この仮締めは、少なくとも、アクチュエータキャップ（６）を傾けた場合でも、アクチュエータキャップ（６）がアクチュエータベース（７）から外れない程度に締めておく。尚、この仮締め工程は必須でない。
アクチュエータキャップ（６）に設けられた孔（８）に冶具（１）を挿入する（図２Ａ〜図２Ｂ参照）。この状態では、冶具（１）の係合部（２）は被係合部（９）に係合していない（図３の（ａ）参照）。
次に、冶具（１）をアクチュエータキャップ（６）に設けられた孔（８）に挿入した状態で、冶具（１）に設けられた係合部（２）をアクチュエータキャップ（６）内に設けられた被係合部（９）に係合する（図３の（ｂ）参照）。係合部（２）が被係合部（９）に係合した状態で、キャップ部（１０）を本体部（４）に取り付け、キャップ部（１０）を締めることで、係合部（２）の位置を固定することができる。これにより、より確実に係合部（２）が被係合部（９）に係合した状態を保つことができる。
係合部（２）が被係合部（９）に係合した状態で、冶具（１）に設けられたヘッド部（３）を、レンチやスパナ等の工具（１１）で締め付け、アクチュエータキャップ（６）をアクチュエータベース（７）に締め付ける（図２Ｄ参照）。
そして、係合部（２）の係合状態を解除し（図２Ｅ〜図２Ｆ参照）、アクチュエータキャップ（６）に設けられた孔（８）から冶具（１）を取り外し（図２Ｇ参照）、アクチュエータキャップ（６）のアクチュエータベース（７）への締め付けが完了する。
【００４４】
係合部（２）が、本体部（４）に重心をずらして支持されている場合、アクチュエータキャップ（６）に設けられた孔（８）に冶具（１）を挿入する際に、アクチュエータ（５）を傾けることで、係合部（２）をアクチュエータキャップ（６）内に設けられた被係合部（９）により容易に係合させることができる（図２Ｃ〜図２Ｄ参照）。この方法により、より容易に係合部（２）をアクチュエータキャップ（６）内に設けられた被係合部（９）に係合させることができる。
【００４５】
また、係合部（２）は上記した形状に限定されず、例えば、冶具（１）をアクチュエータキャップ（６）に挿入した後、磁性体を用いる等、何らかの手法により、係合部（２）の先端が股割れすることで、被係合部（９）に係合する形状等であってもよい。
【００４６】
また、本発明に係る冶具（１）は、既にアクチュエータベース（７）に締め付けられたアクチュエータキャップ（６）の取り外しに用いることもできる。
本発明に係る冶具（１）をアクチュエータキャップ（６）の取り外しに用いる場合、叙上の締付方法を逆の順番で実施することでアクチュエータキャップ（６）をアクチュエータベース（７）から取り外すことができる。
【００４７】
（第二実施形態）
以下、本発明の第二実施形態に係るアクチュエータキャップをアクチュエータベースに締め付ける又は緩めるための冶具の好適な実施形態について、図面を参照しながら説明する。
図４は、本発明の第二実施形態に係る冶具を縦（鉛直）方向に向けた状態を示す側面図である。図５は、本発明の第二実施形態に係る冶具がアクチュエータのアクチュエータキャップに設けられた被係合部に係合する様子を示す図であって、（ａ）はアクチュエータキャップの被係合部の図２ＢのＡ１−Ａ１線と同じ位置の線に沿った断面説明図、（ｂ）は被係合部に冶具の係合部が係合した状態を示す、図２ＢのＡ１−Ａ１線と同じ位置の線に沿った断面説明図である。
【００４８】
図４〜図５に示す如く、本発明の第二実施形態に係る冶具（１）は、係合部（２）が本体部（４）に対して固定されており、回動しない（非可動である）ように構成されている。
本実施形態に係る冶具（１）の係合部（２）は、冶具（１）の長手方向に対して、直交方向（冶具（１）の短手方向）に突出する形状を呈している。
このため、冶具（１）をアクチュエータキャップ（６）の孔（８）に挿入するだけで、係合部（２）を被係合部（９）に係合することができ、そのまま冶具（１）を捻るだけでアクチュエータキャップ（６）をアクチュエータベース（７）に締め付けることができる（図５参照）。
尚、係合部（２）と本体部（４）は別体として形成されていてもよく、一体的に形成されていても良い。
【００４９】
本実施形態に係る冶具（１）を用いる被係合部（９）は、図５に示すように、冶具（１）の係合部（２）を挿入可能且つ係合できる互いに対向する溝（１３）を有している。溝（１３）の形状は特に限定されず、例えば、断面視略矩形状や、正方形状、円状、十字形状等、係合部（２）を挿入することができ、且つ係合できる形状（つまり、係合部（２）が被係合部（９）の少なくとも一部に接触し、冶具（１）を捻ることで、アクチュエータキャップ（６）に回転力を伝えることができる当業者に自明な形状）であれば、いかなる形状であっても良い。
【００５０】
以下、本発明の第二実施形態に係る冶具（１）を用いたアクチュエータキャップ（６）をアクチュエータベース（７）に締め付ける方法の一例を示す。尚、以下に示す締付方法は一例であって、これに限定されない。
【００５１】
冶具（１）の係合部（２）が被係合部（９）に設けられた溝（１３）に入るように、アクチュエータキャップ（６）に設けられた孔（８）に冶具（１）を挿入する。被係合部（９）に設けられた溝（１３）は、冶具（１）の本体部（４）と係合部（２）を合わせた長さよりも長くなるように構成されているため、係合部（２）は挿入が完了した時点で、被係合部（９）に設けられた溝（１３）に位置する。
係合部（２）が被係合部（９）に設けられた溝（１３）に位置している状態（図５の（ｂ）参照）で、冶具（１）に設けられたヘッド部（３）を、レンチやスパナ等の工具（１１）で締め付け、アクチュエータキャップ（６）をアクチュエータベース（７）に締め付ける。
そして、冶具（１）を孔（８）から抜き取り、アクチュエータキャップ（６）のアクチュエータベース（７）への締め付けが完了する。
【００５２】
尚、本実施形態に係る冶具（１）及び該冶具（１）を用いたアクチュエータキャップ（６）のアクチュエータベース（７）への締め付け方法に関して、上記した特徴以外は第一実施形態にかかる冶具（１）及び該冶具（１）を用いたアクチュエータキャップ（６）のアクチュエータベース（７）への締め付け方法が備える特徴と同じ特徴を備える。
【００５３】
（第三実施形態）
以下、本発明の第三実施形態に係るアクチュエータキャップをアクチュエータベースに締め付ける又は緩めるための冶具の好適な実施形態について説明する。
図６は、本発明の第三実施形態に係る冶具を縦（鉛直）方向に向けた状態を示す正面図である。図７は、本発明の第三実施形態に係る冶具がアクチュエータのアクチュエータキャップに設けられた被係合部に係合する様子を示す図であって、（ａ）はアクチュエータキャップの被係合部の図２ＢのＡ１−Ａ１線と同じ位置の線に沿った断面説明図、（ｂ）は被係合部に冶具の係合部が係合した状態を示す、図２ＢのＡ１−Ａ１線と同じ位置の線に沿った断面説明図である。
【００５４】
図６に示す如く、本発明の第三実施形態に係る冶具（１）は、係合部（２）が正面視略コ字状（つまり凹部（１４）を備える形状）を呈している。
尚、係合部（２）と本体部（４）は別体として形成されていてもよく、一体的に形成されていても良い。
【００５５】
本実施形態に係る冶具（１）を用いる被係合部（９）は、図７に示すように、孔（８）の中心方向に向かって、冶具（１）の係合部（２）を挿入可能且つ係合できる凸部（１５）を有していることが望ましい。凸部（１５）の形状は特に限定されず、例えば、正方形状や、矩形状、半円状、円状等、係合部（２）を挿入することができ、且つ係合でき、被係合部（９）に対して凹部（１４）の相対的な回転が防止される形状（つまり、係合部（２）が被係合部（９）の凸部（１５）の少なくとも一部に接触し、冶具（１）を捻ることで、アクチュエータキャップ（６）に回転力を伝えることができる当業者に自明な形状）であれば、いかなる形状であっても良い。
また、図７では凸部（１５）を２箇所設けているが、凸部（１５）の数は特に限定されず、冶具（１）の係合部（２）を挿入可能且つ係合できる数であれば、いかなる数であっても良い。
尚、凸部（１５）は、アクチュエータキャップ（６）の孔（８）の下部側にのみ設けられることが望ましい。これは、孔（８）には、アクチュエータ（５）がバルブ（１２）に取り付けられた後、センサ等の機器が挿入されるため、孔（８）の上部に凸部（１５）を設けると、センサ等の機器が挿入できなくなる虞があるためである。
【００５６】
以下、本発明の第三実施形態に係る冶具（１）を用いたアクチュエータキャップ（６）をアクチュエータベース（７）に締め付ける方法の一例を示す。尚、以下に示す締付方法は一例であって、これに限定されない。
【００５７】
アクチュエータキャップ（６）に設けられた孔（８）に冶具（１）を挿入する。
係合部（２）が被係合部（９）に設けられた凸部（１５）に隣接している状態（図７の（ｂ）参照）で、冶具（１）に設けられたヘッド部（３）を、レンチやスパナ等の工具（１１）で締め付け、アクチュエータキャップ（６）をアクチュエータベース（７）に締め付ける。
そして、冶具（１）を孔（８）から抜き取り、アクチュエータキャップ（６）のアクチュエータベース（７）への締め付けが完了する。
【００５８】
尚、本実施形態に係る冶具（１）及び該冶具（１）を用いたアクチュエータキャップ（６）のアクチュエータベース（７）への締め付け方法に関して、上記した特徴以外は第一実施形態にかかる冶具（１）及び該冶具（１）を用いたアクチュエータキャップ（６）のアクチュエータベース（７）への締め付け方法が備える特徴と同じ特徴を備える。
【産業上の利用可能性】
【００５９】
本発明に係る冶具は、係合部及びヘッド部を有する本体部を備え、前記係合部は、前記アクチュエータキャップに設けられた孔に挿入可能な径を備え、かつ、前記アクチュエータキャップ内に設けられた被係合部に係合可能であるため、アクチュエータキャップのアクチュエータベースへの締め付けをアクチュエータキャップに設けられた孔を介してアクチュエータの内側で実施でき、アクチュエータキャップをアクチュエータベースに締め付ける又は緩めるためにアクチュエータの外側にスパナ等の工具の固定箇所や孔を設ける必要がない。
さらに、アクチュエータの外側にスパナ等の工具の固定箇所や孔を設けずにアクチュエータキャップをアクチュエータベースに締め付ける又は緩めることができるため、菌等がアクチュエータ内部で繁殖する虞が少なく、飲食品・化学品・医薬品用等のサニタリーバルブ用のアクチュエータにも使用できる。
このように、本発明に係る冶具を用いることでアクチュエータの小型化が可能になり、従来のアクチュエータの締付方法のために提供できなかった小型のアクチュエータや所望の形状のアクチュエータを製造することができる。
それゆえに、本発明に係る冶具及び該冶具を用いたアクチュエータキャップをアクチュエータベースに締め付ける方法は、例えば、アクチュエータキャップのアクチュエータベースへの取り付けに好適に使用される。
【符号の説明】
【００６０】
１      冶具
２      係合部
２ｘ    連結軸
３      ヘッド部
４      本体部
４ａ    一端部
５      アクチュエータ
６      アクチュエータキャップ
７      アクチュエータベース
８      孔
９      被係合部
１０    キャップ部
１１    工具
１２    バルブ
１３    溝
１４    凹部
１５    凸部
【図１】
2018128108.tif 000003
【図２Ａ】
2018128108.tif 000004
【図２Ｂ】
2018128108.tif 000005
【図２Ｃ】
2018128108.tif 000006
【図２Ｄ】
2018128108.tif 000007
【図２Ｅ】
2018128108.tif 000008
【図２Ｆ】
2018128108.tif 000009
【図２Ｇ】
2018128108.tif 000010
【図３】
2018128108.tif 000011
【図４】
2018128108.tif 000012
【図５】
2018128108.tif 000013
【図６】
2018128108.tif 000014
【図７】
2018128108.tif 000015